(57)【要約】【課題】天板を、キャビネットの上面に、防水性を保持して上方から容易に取り付けることができるようにした、洗面台等の天板取付構造を提供する。【解決手段】天板２の両側部下面に、下方を向き、下端部に係合爪８ａを設けた係合片８を有する係合部材４を、かつキャビネット１における左右の側板５の内側面上部に、係合片８の係合爪８ａが弾性係合しうる被係合片１６を有する被係合部材６を、それぞれ対向状に設けるとともに、係合部材４の水平片７外側端に、下向きに弾性変形可能なパッキン９を設け、天板２を押下させてこのパッキン９を下向きに弾性変形させつつ、前記係合爪８ａを被係合片１６の下端に弾性係合させることにより、天板２をキャビネット１の上面に取り付ける。【選択図】図３
2010178817.tif 000002
【特許請求の範囲】
【請求項１】
洗面台等のキャビネットの上面に天板を取り付ける取付構造であって、
前記キャビネットにおける左右の側板の内側面上部と前記天板の両側部下面とのいずれか一方に、上下方向を向き、先端部に係合爪を設けた係合片を有する係合部材を、かつ他方に、前記係合片の係合爪が弾性係合しうる被係合片を有する被係合部材を、それぞれ対向状に設けるとともに、前記左右の側板の上面と、それに対向する天板の両側部下面とのいずれか一方に、下向きに弾性変形可能なパッキンを設け、前記天板を押下させてこのパッキンを下向きに弾性変形させつつ、前記係合爪を被係合片に弾性係合させることにより、天板をキャビネットの上面に取り付けたことを特徴とする洗面台等の天板取付構造。
【請求項２】
前記係合部材及び前記被係合部材の前後寸法を、側板の前後寸法とほぼ等しくしたことを特徴とする請求項１記載の洗面台等の天板取付構造。
【請求項３】
パッキンを、前記係合部材に一体的に連設したことを特徴とする請求項１または２に記載の洗面台等の天板取付構造。
【請求項４】
被係合部材を、左右１対の側片を備える正面視上向コ字状または下向コ字状の係合部を有するものとし、被係合片を、前記いずれか一方の側片の先端より、前記係合部の内部に向かって延出させ、係合部に突入させた係合片の係合爪を係合部内において前記被係合片の先端に弾性係合させるとともに、係合片を、前記他方の側片と被係合片とにより挟持するようにしたことを特徴とする請求項１ないし３のいずれかに記載の洗面台等の天板取付構造。
【請求項５】
パッキンの外側縁に、側板の上端部の外側面に当接する下向片を連設したことを特徴とする請求項１ないし４のいずれかに記載の洗面台等の天板取付構造。
【発明の詳細な説明】
【技術分野】
【０００１】
本発明は、洗面台等のキャビネットの上面に、天板を、防水性を保持しながら、容易に取り付けうるようにした取付構造に関する。
【背景技術】
【０００２】
この種の従来の洗面台等の取付構造としては、例えば、特許文献１〜３に記載されているものがある。
【先行技術文献】
【特許文献】
【０００３】
【特許文献１】特開２００２−２６３０１６号公報
【特許文献２】特開平７−２３１８１７号公報
【特許文献３】特許第３４７５２６２号公報
【発明の概要】
【発明が解決しようとする課題】
【０００４】
前記特許文献１及び２に記載の天板の取付構造においては、天板をねじを用いてキャビネットの上面に固定しているので、取付強度が大きいという利点があるものの、ねじ止め作業をキャビネットの内部から行う必要があるので、作業性が悪い。
【０００５】
一方、前記特許文献３に記載の天板の取付構造においては、天板とキャビネットとの対向面に設けた係合具同士を上方より係合させるだけでよいので、天板の取り付けが容易である。しかしながら、天板とキャビネットとの接触面には、パッキン等が設けられてなく、かつ天板をキャビネットの上面に強く圧接することができないので、天板より流れ落ちた水滴が、キャビネットと天板との接触面から内部に浸入する恐れがある。
【０００６】
本発明は、前記問題点を解決するためになされたもので、天板を、キャビネットの上面に、防水性を保持して上方から容易に取り付けることができるようにした、キッチンカウンタや洗面台等の天板取付構造を提供することを目的としている。
【課題を解決するための手段】
【０００７】
前記課題を解決するために、本発明の請求項１に記載の洗面台等の天板取付構造は、
洗面台等のキャビネットの上面に天板を取り付ける取付構造であって、
前記キャビネットにおける左右の側板の内側面上部と前記天板の両側部下面とのいずれか一方に、上下方向を向き、先端部に係合爪を設けた係合片を有する係合部材を、かつ他方に、前記係合片の係合爪が弾性係合しうる被係合片を有する被係合部材を、それぞれ対向状に設けるとともに、前記左右の側板の上面と、それに対向する天板の両側部下面とのいずれか一方に、下向きに弾性変形可能なパッキンを設け、前記天板を押下させてこのパッキンを下向きに弾性変形させつつ、前記係合爪を被係合片に弾性係合させることにより、天板をキャビネットの上面に取り付けたことを特徴としている。
この特徴によれば、天板を下方に押圧するだけで、キャビネットの上面に容易に取り付けることができる。また、天板には、パッキンの弾性反発力により、上向の付勢力が作用し、係合片が被係合片と強く係合するため、キャビネットの上面に、天板を、がたなく強固に取り付けることができる。さらに、パッキンは、側板の上面に強く圧接しているので、天板の上面より流れ落ちた水滴が、キャビネットの内部に浸入する恐れはなく、防水性が高まる。
【０００８】
本発明の請求項２に記載の洗面台等の天板取付構造は、請求項１に記載の洗面台等の天板取付構造であって、
前記係合部材及び前記被係合部材の前後寸法を、側板の前後寸法とほぼ等しくしたことを特徴としている。
この特徴によれば、係合片の係合爪と被係合片との係合領域が前後方向に長くなるので、天板をより強固にキャビネットの上面に取り付けることができる。
【０００９】
本発明の請求項３に記載の洗面台等の天板取付構造は、請求項１または２に記載の洗面台等の天板取付構造であって、
パッキンを、前記係合部材に一体的に連設したことを特徴としている。
この特徴によれば、パッキンを別途製作必要がなく、かつ部品点数を削減しうるので、コスト低減が図れる。
【００１０】
本発明の請求項４に記載の洗面台等の天板取付構造は、請求項１ないし３のいずれかに記載の洗面台等の天板取付構造であって、
被係合部材を、左右１対の側片を備える正面視上向コ字状または下向コ字状の係合部を有するものとし、被係合片を、前記いずれか一方の側片の先端より、前記係合部の内部に向かって延出させ、係合部に突入させた係合片の係合爪を係合部内において前記被係合片の先端に弾性係合させるとともに、係合片を、前記他方の側片と被係合片とにより挟持するようにしたことを特徴としている。
この特徴によれば、係合片及び天板が左右方向にぐらつくのが防止される。また、被係合部材を両側板に取り付け、左右均等な力が加わるので自然に左右均一状態で係合保持される。
【００１１】
本発明の請求項５に記載の洗面台等の天板取付構造は、請求項１ないし４のいずれかに記載の洗面台等の天板取付構造であって、
パッキンの外側縁に、側板の上端部の外側面に当接する下向片を連設したことを特徴としている。
この特徴によれば、天板より流れ落ちた水滴が、下向片を伝わって側板側に流れるので、キャビネットの内部に水滴が浸入するのが確実に防止され、防水性がより高まる。
【図面の簡単な説明】
【００１２】
【図１】本発明を適用した洗面台の上部の分解斜視図である。
【図２】同じく、天板取り付け前の拡大中央縦断正面図である。
【図３】同じく、天板取付後の拡大中央縦断正面図である。
【図４】係合部材と被係合部材との拡大斜視図図である。
【図５】パッキンの取り付け変形例を示す左側の縦断正面図である。
【図６】係合部材と被係合部材とを上下反対として取り付けた実施例の縦断正面図である。
【発明を実施するための最良の形態】
【００１３】
本発明に係る洗面台等の天板取付構造を実施するための形態を実施例に基づいて以下に説明する。
【実施例】
【００１４】
実施例に係る洗面台等の天板取付構造につき、図１から図６を参照して説明する。図１は、本発明を適用した洗面台の上部の分解斜視図で、この洗面台は、キャビネット１と、その上面に取り付けられる合成樹脂等の天板２とを備え、天板２の中央部には、シンク３が一体的に成型されている。
【００１５】
天板２における左右両端部の下面には、左右対称をなす係合部材４、４が、前後方向にほぼ全長に亘って取り付けられている。また、キャビネット１の左右の側板５、５に内側面の上端部には、左右対称をなす前後方向に長い被係合部材６、６が、前記左右の係合部材４と対向状に取り付けられている。
【００１６】
図２〜図４に示すように、係合部材４は、水平片７の下面の左右方向の中間部に、下端部に外向きの係合爪８ａを有する下向きの係合片８を一体的に形成したものよりなり、全体が、硬質合成樹脂により一体成形されている。両係合部材４は、その水平片７を天板２の下面に接着することにより取り付けられている。水平片７の外側縁には、それよりも軟質の合成樹脂よりなる正面視内向き円弧状断面の上下方向に弾性変形可能なパッキン９が、下向きに突出して連設されている。
【００１７】
水平片７の前後両端部の内側部は、キャビネット１の前面板１０と後面板１１との側端上部と干渉しないように切り欠いてある。被係合部材６、６は、左右の側片１２、１２と、下片１３とからなるほぼ正面視上向コ字状をなす係合部１４と、外側の側片１２の下端に連設された下向きの取付片１５と、同じく外側の側片１２の上端に、係合部１４のコ字空間内に向かって斜め下向きに延出する被係合片１６とからなり、全体が硬質合成樹脂により一体成形されている。
【００１８】
なお、内側の側片１２の上端部は、前記係合片８が上方より挿入し易いように、内方に斜めに折曲されている。また、外側の側片１２の上端には、係合部材４の取付時に位置決めし易いように、側板５の上面に当接する外向片１７が突設されている。
【００１９】
左右の被係合部材６の取付片１５は、前後の取付孔１８、１８に挿入したねじ１９により、側板５の内側面の上端部に、係合部１４が係合部材４の係合片８と対向するようにして固定されている。
【００２０】
キャビネット１の上面に天板２を取り付けるには、図３に示すように、天板２を強く押圧して、左右のパッキン９を下向きに弾性変形させつつ、左右の係合部材４の係合片８を、それと対向する左右の被係合部材６における係合部１４内に突入させ、被係合片１６を外向きに弾性変形させて、その下端に係合片８の係合爪８ａを弾性係合させればよい。この際、係合片８は、係合部１４内において、内側の側片１２と被係合片１６とにより挟持されるので、係合片８が左右方向にぐらつくことがない。
【００２１】
取付後において、天板２には、パッキン９の弾性反発力により、上向の付勢力が作用し、係合片８が被係合片１６と強く係合するため、キャビネット１の上面に、天板２を、がたなく強固に取り付けることができる。また、パッキン９は、側板５の上面に強く圧接しているので、天板２の上面より流れ落ちた水滴が、キャビネット１の内部に浸入する恐れはない。
【００２２】
図５は、パッキンの取り付け変形例を示すもので、この実施例のパッキン２０は、それと一体をなす基片２１を、側板５の上面に固定することにより、前記とは反対に、キャビネット１側に取り付けられ、パッキン２０の外側縁には、側板５の外側面の上端部に当接する下向片２２が連設されている。このような下向片２２を設けると、天板２より流れ落ちた水滴が、下向片２２を伝わって側板５側に流れるので、キャビネット１の内部に水滴が浸入するのが確実に防止され、防水性が高まる。なお、この実施例では、係合部材４の水平片７の左右寸法を、パッキン２０と干渉しないように短寸としてある。このような下向片２２を、天板２側のパッキン９の外側縁に設けてもよい。
【００２３】
前記実施例においては、天板２側に、係合部材４を、キャビネット１側に被係合部材６を、それぞれ設けているが、図６に示すように、それらを上下反対に設けることもできる。
【００２４】
また、図６の実施例では、基片２１とパッキン２０と下向片２２が一体成形され、それを側板５の上面部に貼付固着しているため、パーティクルボード等で形成された側板５の上面端部が、基片２１と下向片２２とで隙間無く確実に覆われるため、外部からの湿気や水滴の浸入を防止することができ、側板５の膨潤を防ぐことができる。
【００２５】
また、図５の実施例のごとく、パッキン２０と基片２１と被係合部材６を合わせて一体成形したものであれば、さらに側板５の膨潤を効果的に防ぐとともに、側板５の上面に一般的に取り付けられている木口樹脂を省くこともできる。
【００２６】
尚、前記実施例では、本発明の天板取付構造が洗面台に適用されているが、洗面台以外にも、水周りに設置されるキッチンカウンタ等における天板と側板との連結に用いることもできる。
【符号の説明】
【００２７】
１                キャビネット
２                天板
３                シンク
４                係合部材
５                側板
６                被係合部材
７                水平片
８                係合片
８ａ              係合爪
９                パッキン
１０              前面板
１１              後面板
１２              側片
１３              下片
１４              係合部
１５              取付片
１６              被係合片
１７              外向片
１８              取付孔
１９              ねじ
２０              パッキン
２１              基片
２２              下向片
【図１】
2010178817.tif 000003
【図２】
2010178817.tif 000004
【図３】
2010178817.tif 000005
【図４】
2010178817.tif 000006
【図５】
2010178817.tif 000007
【図６】
2010178817.tif 000008